(57)【要約】【課題】スピーカ部から良好な音質の音を出力することと、スピーカ部を保護することを、簡易な構成によって切り替えることができるスピーカ装置を実現する。【解決手段】スピーカ装置１０は、カバー部材４のガイド溝４ｃに支持軸３を係入するようにして、そのカバー部材４を軸支する簡易な構成によって、カバー部材４の配置を第１配置と第２配置とに切り替えることができ、そのスピーカ装置１０において、カバー部材４でスピーカ部２を覆う第１配置をとることによって、スピーカ部２を破損や汚れから保護することを可能にし、また、カバー部材４を退避させてスピーカ部２を露出させた第２配置をとることによって、開口率１００％のスピーカ部２から良好な音質の音を出力することを可能にした。【選択図】図１
2008085658.tif 000002
【特許請求の範囲】
【請求項１】
キャビネットと、
前記キャビネットの所定面から音を出力するように配置されるスピーカ部と、
前記所定面における前記スピーカ部を覆うことと、露出させることを切り替えるカバー部材と、を備え、
前記カバー部材は、前記キャビネットに備えられる支持部に回動可能に軸支されるとともに、その回動中心軸の軸線方向と略垂直な方向にスライド移動可能に支持されており、
前記カバー部材は、前記所定面の前面側にその所定面と略平行に配されて前記スピーカ部を覆う第１配置と、前記所定面と交差する位置に配されて前記スピーカ部を露出させる第２配置とに切り替えられ、そのカバー部材が配される第１配置と第２配置に応じて、前記スピーカ部が出力する音の音質を切り替える音質切替手段を備えることを特徴とするスピーカ装置。
【請求項２】
キャビネットと、
前記キャビネットの所定面から音を出力するように配されるスピーカ部と、
前記所定面における前記スピーカ部を覆うことと、露出させることを切り替えるカバー部材と、を備え、
前記カバー部材は、前記キャビネットに備えられる支持部に回動可能に軸支されるとともに、その回動中心軸の軸線方向と略垂直な方向にスライド移動可能に支持されており、
前記カバー部材は、前記所定面の前面側にその所定面と略平行に配されて前記スピーカ部を覆う第１配置と、前記所定面と交差する位置に配されて前記スピーカ部を露出させる第２配置とに切り替えられることを特徴とするスピーカ装置。
【請求項３】
前記カバー部材は、前記第２配置において、前記キャビネットの内部に収容されることを特徴とする請求項２に記載のスピーカ装置。
【請求項４】
前記カバー部材が配される第１配置と第２配置に応じて、前記スピーカ部が出力する音の音質を切り替える音質切替手段を備えることを特徴とする請求項１又は２に記載のスピーカ装置。
【発明の詳細な説明】
【技術分野】
【０００１】
本発明は、スピーカ装置に関する。
【背景技術】
【０００２】
従来、音を出力するスピーカ部を内蔵するスピーカ装置において、そのスピーカ部の前面側に保護部材（例えば、多孔性の保護ネットや保護プレートなど）を配設して、そのスピーカ部の破損や汚れの付着を防止するようになっている。
ただし、スピーカ部の前面側に保護部材が配設されていると、音に歪が生じてしまい、音質が低下することがあるので、その保護部材を開閉自在あるいは着脱自在とすることにより、スピーカ部の前面に保護部材がない開口率１００％の状態で、音を出力可能としたスピーカ装置がある。
【０００３】
そして、巻取装置を回動させることにより、保護ネットの巻き取りや繰り出しを行い、その保護ネットを開閉することを可能にしたスピーカ装置が知られている（例えば、特許文献１参照。）。
【０００４】
また、モータの駆動により配置が切り替えられるシャッタを備え、スピーカ装置を使用しない際にはスピーカ部を覆う被覆位置にシャッタを配し、スピーカ装置を使用する際にシャッタを収納位置に配してスピーカ部の前面を開放するスピーカ装置が知られている（例えば、特許文献２参照。）。
【特許文献１】特開昭５９−７００９５号公報
【特許文献２】特開平６−１２１３８４号公報
【発明の開示】
【発明が解決しようとする課題】
【０００５】
しかしながら、上記特許文献１の場合、巻取装置によって巻き取り可能な保護ネットの強度は、スピーカ部を保護するためには不十分であり、強い外的作用によって保護ネットもろともスピーカ部が破損してしまうことがあるという問題があった。
【０００６】
また、上記特許文献２の場合、シャッタは、モータ駆動されて自動開閉する構成であるため、装置の製造コストが増大してしまうという問題があった。
【０００７】
本発明の目的は、スピーカ部から良好な音質の音を出力することと、スピーカ部を保護することを、簡易な構成によって切り替えることができるスピーカ装置を提供することである。
【課題を解決するための手段】
【０００８】
以上の課題を解決するため、請求項１に記載の発明は、
キャビネットと、
前記キャビネットの所定面から音を出力するように配置されるスピーカ部と、
前記所定面における前記スピーカ部を覆うことと、露出させることを切り替えるカバー部材と、を備えるスピーカ装置であって、
前記カバー部材は、前記キャビネットに備えられる支持部に回動可能に軸支されるとともに、その回動中心軸の軸線方向と略垂直な方向にスライド移動可能に支持されており、
前記カバー部材は、前記所定面の前面側にその所定面と略平行に配されて前記スピーカ部を覆う第１配置と、前記所定面と交差する位置に配されて前記スピーカ部を露出させる第２配置とに切り替えられ、そのカバー部材が配される第１配置と第２配置に応じて、前記スピーカ部が出力する音の音質を切り替える音質切替手段を備えることを特徴とする。
【０００９】
請求項２に記載の発明は、
キャビネットと、
前記キャビネットの所定面から音を出力するように配されるスピーカ部と、
前記所定面における前記スピーカ部を覆うことと、露出させることを切り替えるカバー部材と、を備えるスピーカ装置であって、
前記カバー部材は、前記キャビネットに備えられる支持部に回動可能に軸支されるとともに、その回動中心軸の軸線方向と略垂直な方向にスライド移動可能に支持されており、
前記カバー部材は、前記所定面の前面側にその所定面と略平行に配されて前記スピーカ部を覆う第１配置と、前記所定面と交差する位置に配されて前記スピーカ部を露出させる第２配置とに切り替えられることを特徴とする。
【００１０】
請求項３に記載の発明は、請求項２に記載のスピーカ装置において、
前記カバー部材は、前記第２配置において、前記キャビネットの内部に収容されることを特徴とする。
【００１１】
請求項４に記載の発明は、請求項１又は２に記載のスピーカ装置において、
前記カバー部材が配される第１配置と第２配置に応じて、前記スピーカ部が出力する音の音質を切り替える音質切替手段を備えることを特徴とする。
【発明の効果】
【００１２】
請求項１に記載の発明によれば、スピーカ装置は、支持部に回動可能に軸支されるとともに、その回動中心軸の軸線方向と略垂直な方向にスライド移動可能に支持されるカバー部材を備えており、そのカバー部材は、キャビネットの所定面と略平行に配されてスピーカ部を覆う第１配置と、その所定面と交差する位置に配されてスピーカ部を露出させる第２配置とに切り替えられるようになっている。つまり、スピーカ装置はカバー部材の配置を切り替え、そのカバー部材でスピーカ部を覆う第１配置をとることによって、スピーカ部を破損や汚れから保護することができ、また、そのカバー部材を退避させてスピーカ部を露出させた第２配置をとることによって、スピーカ部の前に音を遮るものがない開口率１００％の状態でスピーカ部から良好な音質の音を出力することができる。
よって、このスピーカ装置は、スピーカ部から良好な音質の音を出力することと、スピーカ部を保護することを、支持部に軸支されるカバー部材の簡易な構成によって切り替えることができるスピーカ装置であるといえる。
【００１３】
また、スピーカ装置は、カバー部材が配される第１配置と第２配置に応じてスピーカ部が出力する音の音質を切り替えることができるので、スピーカ装置は、カバー部材がスピーカ部を覆う位置に移動された場合と、カバー部材が移動されてスピーカ部が露出された場合とに応じて、スピーカ部が出力する音の音質特性を切り替えて、カバー部材のそれぞれの配置（第１配置、第２配置）において最適な音質の音をスピーカ装置に出力させて、ユーザがよりよい音質の音を聴いて楽しむことを可能にする。
特に、スピーカ部が露出された第２の配置においては、スピーカ装置は、スピーカ部の前面の開口率が１００％である最良の音質の音を出力することが可能になる。
【００１４】
請求項２に記載の発明によれば、スピーカ装置は、支持部に回動可能に軸支されるとともに、その回動中心軸の軸線方向と略垂直な方向にスライド移動可能に支持されるカバー部材を備えており、そのカバー部材は、キャビネットの所定面と略平行に配されてスピーカ部を覆う第１配置と、その所定面と交差する位置に配されてスピーカ部を露出させる第２配置とに切り替えられるようになっている。
つまり、スピーカ装置はカバー部材の配置を切り替え、そのカバー部材でスピーカ部を覆う第１配置をとることによって、スピーカ部を破損や汚れから保護することができ、また、そのカバー部材を退避させてスピーカ部を露出させた第２配置をとることによって、スピーカ部の前に音を遮るものがない開口率１００％の状態でスピーカ部から良好な音質の音を出力することができる。
よって、このスピーカ装置は、スピーカ部から良好な音質の音を出力することと、スピーカ部を保護することを、支持部に軸支されるカバー部材の簡易な構成によって切り替えることができるスピーカ装置であるといえる。
【００１５】
請求項３に記載の発明によれば、請求項２に記載の発明と同様の効果が得られることは無論のこと、スピーカ装置のカバー部材は、第２配置においてキャビネットの内部に収容されるので、カバー部材を第２配置に移動させてスピーカ部を露出させた状態でユーザが音を楽しむ際に、カバー部材をキャビネット内にすっきり収納することができる。
【００１６】
請求項４に記載の発明によれば、請求項１又は２に記載の発明と同様の効果が得られることは無論のこと、スピーカ装置は、カバー部材が配される第１配置と第２配置に応じてスピーカ部が出力する音の音質を切り替えることができる。
つまり、スピーカ装置は、カバー部材がスピーカ部を覆う位置に移動された場合と、カバー部材が移動されてスピーカ部が露出された場合とに応じて、スピーカ部が出力する音の音質特性を切り替えて、カバー部材のそれぞれの配置（第１配置、第２配置）において最適な音質の音をスピーカ装置に出力させて、ユーザがよりよい音質の音を聴いて楽しむことを可能にする。
【発明を実施するための最良の形態】
【００１７】
以下に、本発明に係るスピーカ装置について、図面を用いて具体的な態様を説明する。ただし、発明の範囲は図示例に限定されない。
【００１８】
スピーカ装置１０は、図１から図３に示すように、箱状のキャビネット１と、キャビネット１の所定面である前面１ａから音を出力するように配置されるスピーカ部２と、キャビネット１の前面１ａと一方の側面１ｂとが交わるコーナー部１ａｂに備えられる支持部である支持軸３と、支持軸３に軸支されて、キャビネット１の前面側のスピーカ部２を覆うことと露出させることを切り替えるカバー部材４等を備えている。
【００１９】
キャビネット１は、略直方体形状を呈しており、その前面１ａに円形の開口１ｃが形成されている。そして、その開口１ｃから、キャビネット１内部に配置されたスピーカ部２が露出するようになっている。
また、キャビネット１の前面１ａには、カバー部材４を前面１ａに固定するための係止部である係止溝１１が形成されている。
また、キャビネット１の側面１ｂには、カバー部材４を側面１ｂに固定するための係止部であるマグネット１２が配設されている。
【００２０】
スピーカ部２は、例えば、ボイスコイルと、そのボイスコイルに取り付けられた振動板とを有する周知のスピーカであり、キャビネット１の前面１ａ（開口１ｃ）から音を出力するように、キャビネット１の内部に配置されている。
なお、スピーカ部２の構成や動作は従来公知のものと同様であるので、ここでは詳述しない。
【００２１】
支持軸３は、キャビネット１の前面１ａと一方の側面１ｂの両方に対して、その軸線が平行となる配置に備えられている。
具体的には、支持軸３は、キャビネット１のコーナー部１ａｂに上下一対をなして、同一の軸線上で対向する位置に備えられている。
そして、一対の支持軸３，３が、カバー部材４の上下をそれぞれ支持するようになっている。
【００２２】
カバー部材４は、略板状の部材であり、カバー部材４の外周縁部をなすフレーム部４ａと、フレーム部４ａの中央側に形成されているメッシュ部４ｂとを有している。
【００２３】
フレーム部４ａは、カバー部材４の剛性を維持する素材からなり、その上端面と下端面に、それぞれ支持軸３の先端部が係入されるガイド溝４ｃが形成されている。このガイド溝４ｃは、フレーム部４ａの上端面と下端面のそれぞれの長さ方向に沿って形成された長溝である。
また、フレーム部４ａにおける、キャビネット１の前面１ａと対向する面には、係止溝１１に嵌合する突状片４ｄが形成されている。
【００２４】
メッシュ部４ｂには、無数の孔が形成されており、カバー部材４の厚さ方向への通気性を確保している。
なお、メッシュ部４ｂは、カバー部材４を構成する素材に無数の孔を形成してなるフレーム部４ａと一体の部材としてもよく、また、フレーム部４ａに後付けするパンチングプレート、ワイヤークロス、サランネットなどの部材であってもよい。
【００２５】
そして、カバー部材４は、キャビネット１に備えられる支持軸３に回動可能に軸支されるとともに、その支持軸３の回動中心軸である軸線方向と略垂直な方向にスライド移動可能に支持されている。
具体的には、カバー部材４のフレーム部４ａの上端面と下端面にそれぞれ形成されているガイド溝４ｃに、一対の支持軸３，３の先端部が係入して、その支持軸３がカバー部材４を軸支しているので、カバー部材４は、支持軸３の軸心として回動することができるようになっている。
また、ガイド溝４ｃはフレーム部４ａの長さ方向に沿って形成されているので、ガイド溝４ｃに係入された支持軸３はそのガイド溝４ｃに沿って摺動可能となっており、その支持軸３は、カバー部材４に対して相対的に移動可能となっている。つまり、支持軸３に軸支されているカバー部材４は、ガイド溝４ｃに沿った方向であって、支持軸３の軸線方向と略垂直な方向にスライド移動することができるようになっている。
そして、カバー部材４は、キャビネット１の前面１ａ側にその前面１ａと略平行に配されてスピーカ部２を覆う第１配置（図１参照）と、キャビネット１の前面１ａと交差する位置であるキャビネット１の側面１ｂ側に配されてスピーカ部２を露出させる第２配置（図３参照）とに切り替えられるようになっている。
【００２６】
また、スピーカ装置１０は、カバー部材４が配された第１配置と第２配置に応じて、スピーカ部２が出力する音の音質を切り替える音質切替手段５を備えている。
音質切替手段５は、カバー部材４がキャビネット１の前面１ａ側に配されてスピーカ部２を覆う場合と、カバー部材４がキャビネット１の側面１ｂ側に配されてスピーカ部２を露出させる場合とに応じて、スピーカ部２が出力する音の音質を切り替える処理を行う。
つまり、音質切替手段５は、スピーカ部２が出力する音の音質特性をカバー部材４の配置に応じて切り替えて、それぞれの配置（第１配置、第２配置）において最良の音質の音をスピーカ装置１０に出力させて、ユーザがよりよい音質で音楽を聴いて楽しむことを可能にする。
【００２７】
例えば、音質切替手段５はイコライザーであって、スピーカ部２に送出される音声信号の周波数特性をカバー部材４の配置に応じて加工、調整する所定の処理を施すことで、カバー部材４が配された第１配置と第２配置に対応させてスピーカ部２が出力する音の音質を切り替えるようになっている。
また、例えば、音質切替手段５は、カバー部材４の配置に応じて、図示しないスピーカ移動手段によって、キャビネット１内のスピーカ部２の配置をキャビネット１の前面１ａに近づけたり遠ざけたり調整することや、図示しない開口絞り手段によって、前面１ａの開口１ｃの径を調整することで、カバー部材４が配された第１配置と第２配置に対応させて、装置各部に生じる不要な振動に伴うノイズ（共振周波数）の影響を低減あるいは除去するようになっている。
このように、音質切替手段５が、カバー部材４の配置に応じて、音声信号の周波数特性を調整してスピーカ部２が出力する音の音質を切り替えたり、ノイズの影響を低減あるいは除去したりすることによって、スピーカ装置１０がよりよい音質の音を出力することができるようになっている。つまり、スピーカ部２の前にカバー部材４が配された第１配置においては、スピーカ装置１０はカバー部材４があるなりに最適の音質の音を出力し、また、スピーカ部２の前からカバー部材４が退避されてスピーカ部２が露出された第２の配置においては、スピーカ装置１０は開口率１００％における最良の音質の音を出力することができるようになっている。
なお、スピーカ装置１０には、カバー部材４の配置（第１配置、第２配置）に応じて切り替えられる図示しないスイッチが設けられており、その切り替えられたスイッチからの切替信号に基づき、音質切替手段５による制御処理が切り替えられるようになっている。
【００２８】
次に、スピーカ装置１０におけるカバー部材４の配置の切り替えについて説明する。
【００２９】
スピーカ装置１０を使用しない場合、図１に示すように、カバー部材４をキャビネット１の前面１ａ側に配置させ、そのカバー部材４がその前面１ａと略平行となる第１配置として、カバー部材４がスピーカ部２を覆うようにする。
このカバー部材４の第１配置において、カバー部材４の突状片４ｄが、キャビネット１の前面１ａの係止溝１１に嵌合して、カバー部材４がキャビネット１に固定されるようになっている。
このように、カバー部材４を第１配置に固定して、スピーカ部２を覆うことによって、スピーカ部２を保護することができ、スピーカ部２が損傷してしまうトラブルや、スピーカ部２に埃などが付着してしまうトラブルを低減することができる。
【００３０】
なお、カバー部材４でスピーカ部２を覆って保護する状態は、スピーカ装置１０を使用しない場合に限られるものではなく、カバー部材４を第１配置に切り替えた状態で、スピーカ装置１０を使用して、スピーカ部２から音を出力するようにしてもよい。
その場合、スピーカ装置１０は、カバー部材４が配された第１配置に応じて、スピーカ部２が出力する音の音質を切り替えることができるので、その第１配置に応じた最適な音質の音をユーザは聴いて楽しむことができる。
【００３１】
そして、ユーザが、開口率１００％の状態のスピーカ部２による音を楽しむことを所望した場合、まず、図１に示すスピーカ装置１０におけるカバー部材４の突状片４ｄを、キャビネット１の前面１ａの係止溝１１から外す。
そして、支持軸３を軸心にしてカバー部材４を回動させて、図２に示すように、そのカバー部材４が、キャビネット１の前面１ａと略垂直となる配置に移動させる。
さらに、カバー部材４がキャビネット１の前面１ａと略垂直となる配置のまま、そのカバー部材４を押し送るように、キャビネット１の側面１ｂ側にスライド移動させる。
【００３２】
そして、図３に示すように、カバー部材４がキャビネット１の側面１ｂにおける所定の退避位置（収納位置）である第２配置までスライド移動されると、キャビネット１の側面１ｂのマグネット１２が、カバー部材４の図示しない磁着部（例えば、鉄プレート）と磁力的に結合し、カバー部材４がキャビネット１に固定されるようになっている。
このように、カバー部材４を第２配置に固定して、スピーカ部２を露出させることによって、スピーカ部２の開口率を１００％とすることができ、スピーカ部２が出力する音がカバー部材４により遮られて、その音に歪が生じることを防止することができる。
【００３３】
特に、スピーカ装置１０は、カバー部材４が配された第２配置に応じて、スピーカ部２が出力する音の音質を切り替えることができるので、その第２配置に応じた最適な音質の音であって、スピーカ装置１０における最良の音質の音をユーザは聴いて楽しむことができる。
【００３４】
このように、スピーカ装置１０は、カバー部材４のガイド溝４ｃに支持軸３を係入するようにして、そのカバー部材４を軸支する簡易な構成によって、カバー部材４の配置を第１配置と第２配置とに切り替えることができる。
そして、スピーカ装置１０において、カバー部材４でスピーカ部２を覆う第１配置をとることによって、スピーカ部２を破損や汚れから保護することができ、また、カバー部材４を退避させてスピーカ部２を露出させた第２配置をとることによって、開口率１００％のスピーカ部２から良好な音質の音を出力することができる。
よって、本発明に係るスピーカ装置１０は、スピーカ部２を保護することと、スピーカ部２から良好な音質の音を出力することを、支持軸３に軸支されるカバー部材４の簡易な構成によって好適に切り替えることができるスピーカ装置であるといえる。
【００３５】
なお、本発明は上記実施形態に限られるものではない。
例えば、図４（ａ）、（ｂ）に示すように、キャビネット１の前面１ａに上下一対の支持軸３，３を備えるとともに、カバー部材４をキャビネット１内に収容するための収容口１４がキャビネット１の前面１ａに形成されたスピーカ装置２０のような構成であってもよい。
【００３６】
このスピーカ装置２０は、図４（ａ）に示すように、カバー部材４がキャビネット１の前面１ａと略平行となる第１配置において、そのカバー部材４がスピーカ部２を覆うことができ、スピーカ部２を保護することが可能になっている。
【００３７】
そして、支持軸３を軸心にしてカバー部材４を回動させて、そのカバー部材４がキャビネット１の前面１ａと略垂直となる配置に移動させるとともに、カバー部材４がキャビネット１の前面１ａと略垂直となる配置のまま、そのカバー部材４を収容口１４からキャビネット１内に押し込み、図４（ｂ）に示すように、所定の退避位置（収容位置）である第２配置までスライド移動させて、カバー部材４をキャビネット１内に収容することが可能になっている。
【００３８】
このようなスピーカ装置２０であれば、カバー部材４を第２配置に移動させてスピーカ部２を露出させることによって、スピーカ部２の開口率を１００％とした状態でユーザが音を楽しむ際に、カバー部材４をキャビネット１内にすっきり収納することができる。
また、スピーカ装置２０を室内などの所望する箇所に設置する際に、キャビネット１の外側であって、そのキャビネット１の側面１ｂの近傍にカバー部材４を配置する退避位置用のスペース（隙間）を確保する必要がなくなる。
【００３９】
なお、以上の実施の形態においては、スピーカ装置１０のカバー部材４を第１配置から第２配置に切り替える際に、キャビネット１の前面１ａと略平行となっているカバー部材４を回動させて、そのカバー部材４がその前面１ａと略垂直となる配置にまで移動させた後に、カバー部材４が前面１ａと略垂直となる配置のまま、そのカバー部材４をキャビネット１の側面１ｂ側にスライド移動させるとしたが、本発明はこれに限定されるものではなく、前面１ａと略平行となっているカバー部材４をその略平行状態を維持したままスライド移動させた後に、カバー部材４を回動させて、キャビネット１の側面１ｂ側に配置するように移動させてもよい。
また、カバー部材４を回動させながらスライド移動させるようにしてもよい。
【００４０】
また、その他、具体的な細部構造等についても適宜に変更可能であることは勿論である。
【図面の簡単な説明】
【００４１】
【図１】本発明に係るスピーカ装置を示す斜視図である。
【図２】本発明に係るスピーカ装置を示す斜視図である。
【図３】本発明に係るスピーカ装置を示す斜視図である。
【図４】本発明に係るスピーカ装置の変形例を示す斜視図であり、スピーカ被覆状態（ａ）と、スピーカ露出状態（ｂ）である。
【符号の説明】
【００４２】
１      キャビネット
１ａ    前面（所定面）
１ｂ    側面
１ａｂ  コーナー部
１ｃ    開口
１１    係止溝
１２    マグネット
１４    収容口
２      スピーカ部
３      支持軸（支持部）
４      カバー部材
４ａ    フレーム部
４ｂ    メッシュ部
４ｃ    ガイド溝
４ｄ    突状片
５      音質切替手段
１０、２０  スピーカ装置
【図１】
2008085658.tif 000003
【図２】
2008085658.tif 000004
【図３】
2008085658.tif 000005
【図４】
2008085658.tif 000006